(57)【要約】【課題】免疫検査に関する測定を円滑かつ適正に行うことができる検体測定装置および検体測定方法を提供する。【解決手段】検体測定装置１００は、検体容器１０を閉栓している栓体１１を貫通可能で、栓体１１により閉栓された検体容器１０に収容された検体の吸引および吐出が可能なノズル３１を有し、ノズル３１により検体を検体容器１０から使い捨ての他の容器２０に分注する分注機構３０と、ノズル３１を洗浄する洗浄機構４０と、分注機構３０により分注された検体の免疫検査に関する測定を行う第１測定部５１と、を備える。【選択図】図１
2019120509.tif 000002
【特許請求の範囲】
【請求項１】
検体容器を閉栓している栓体を貫通可能で、前記栓体により閉栓された前記検体容器に収容された検体の吸引および吐出が可能なノズルを有し、前記ノズルにより前記検体を前記検体容器から使い捨ての他の容器に分注する分注機構と、
前記ノズルを洗浄する洗浄機構と、
前記分注機構により分注された前記検体の免疫検査に関する測定を行う第１測定部と、を備える、検体測定装置。
【請求項２】
前記洗浄機構は、前記ノズルの少なくとも前記検体が接触した内周面および外周面を洗浄液により洗浄する、請求項１に記載の検体測定装置。
【請求項３】
前記洗浄機構は、
注入口を備えるとともに、内部が開口を介して上方に開放されている洗浄槽と、
前記ノズル内に洗浄液を流す第１ポンプと、
前記注入口に前記洗浄液を流す第２ポンプと、を備え、
前記洗浄機構は、前記ノズルが前記開口を介して前記洗浄槽内に挿入された状態で、前記第１ポンプを駆動することにより前記ノズル内に洗浄液を流し、前記第２ポンプを駆動することにより前記注入口から前記洗浄槽内に前記洗浄液を流す、請求項１または２に記載の検体測定装置。
【請求項４】
前記洗浄機構は、所定の速度で前記ノズル内に洗浄液を流して前記ノズル内に乱流を生じさせることにより、前記ノズルの内周面を洗浄する、請求項１ないし３の何れか一項に記載の検体測定装置。
【請求項５】
前記洗浄機構は、前記検体ごとに前記ノズルを洗浄する、請求項１ないし４の何れか一項に記載の検体測定装置。
【請求項６】
前記他の容器は、前記検体ごとに取り替えられる、請求項１ないし５の何れか一項に記載の検体測定装置。
【請求項７】
前記免疫検査に関する測定は、抗原抗体反応を利用した測定である、請求項１ないし６の何れか一項に記載の検体測定装置。
【請求項８】
前記第１測定部は、前記検体に含まれる被検物質に基づく化学発光を測定する、請求項１ないし７の何れか一項に記載の検体測定装置。
【請求項９】
前記第１測定部は、フォトンカウンティング可能な受光部を備える、請求項１ないし８の何れか一項に記載の検体測定装置。
【請求項１０】
前記第１測定部は、光電子増倍管を備える、請求項１ないし９の何れか一項に記載の検体測定装置。
【請求項１１】
前記検体の測定を行う第２測定部をさらに備える、請求項１ないし１０の何れか一項に記載の検体測定装置。
【請求項１２】
前記第２測定部は、免疫検査とは異なる検査に関する測定を行う、請求項１１に記載の検体測定装置。
【請求項１３】
前記第２測定部は、血液凝固検査または生化学検査に関する測定を行う、請求項１２に記載の検体測定装置。
【請求項１４】
前記第２測定部は、測定試料に光を照射するための光源部と、前記測定試料から生じた光を受光するための受光部と、を備える、請求項１３に記載の検体測定装置。
【請求項１５】
前記分注機構は、前記第１測定部よりも前記第２測定部に近い位置に設置されている、請求項１１ないし１４の何れか一項に記載の検体測定装置。
【請求項１６】
前記分注機構は、前記第１測定部に供される前記検体を前記検体容器から分注するとともに、前記第２測定部に供される前記検体を前記検体容器から分注する、請求項１１ないし１５の何れか一項に記載の検体測定装置。
【請求項１７】
前記第１測定部が設置された第１測定ユニットと、
前記第２測定部が設置された第２測定ユニットと、を備え、
前記分注機構は、前記第２測定ユニットに設置されている、請求項１１ないし１６の何れか一項に記載の検体測定装置。
【請求項１８】
前記分注機構によって前記検体が分注された前記他の容器を、第１移送経路に沿って前記第１測定ユニットに移送する第１移送機構と、
前記分注機構によって前記検体が分注された前記他の容器を、第２移送経路に沿って前記第２測定部に移送する第２移送機構と、を備える、請求項１７に記載の検体測定装置。
【請求項１９】
前記第１移送経路および前記第２移送経路は、少なくとも共通の移送経路を含む、請求項１８に記載の検体測定装置。
【請求項２０】
前記他の容器を廃棄するための廃棄口を備える、請求項１ないし１９の何れか一項に記載の検体測定装置。
【請求項２１】
前記検体容器を保持した検体ラックを搬送して、前記検体容器を前記分注機構の吸引位置に搬送する搬送ユニットを備える、請求項１ないし２０の何れか一項に記載の検体測定装置。
【請求項２２】
前記検体は、全血、血漿、または血清である、請求項１ないし２１の何れか一項に記載の検体測定装置。
【請求項２３】
検体容器を閉栓している栓体を貫通可能で、前記栓体により閉栓された前記検体容器に収容された検体の吸引および吐出が可能なノズルを洗浄し、
洗浄された前記ノズルにより前記検体を前記検体容器から使い捨ての他の容器に分注し、
分注した前記検体の免疫検査に関する測定を行う、検体測定方法。
【請求項２４】
検体容器を閉栓している栓体を貫通可能で、前記栓体により閉栓された前記検体容器に収容された検体の吸引および吐出が可能なノズルを有し、前記ノズルにより前記検体を前記検体容器から使い捨ての他の容器に分注する分注機構と、
前記分注機構により分注された前記検体に対して第１検査に関する測定を行う第１測定部と、
前記分注機構により分注された前記検体に対して第１検査と異なる第２検査に関する測定を行う第２測定部と、を備える、検体測定装置。
【請求項２５】
前記第２測定部は、前記第２検査として血液凝固検査または生化学検査に関する測定を行い、
前記第１測定部は、前記第１検査として前記第２測定部よりも高感度な検査に関する測定を行う、請求項２４に記載の検体測定装置。
【請求項２６】
前記第１測定部は、前記第１検査として免疫検査に関する測定を行う、請求項２４または２５に記載の検体測定装置。
【発明の詳細な説明】
【技術分野】
【０００１】
本発明は、検体を測定する検体測定装置および検体測定方法に関する。
【背景技術】
【０００２】
免疫検査に関する測定を行う分析装置が知られている。特許文献１には、免疫検査に関する測定において、異なる検体が混ざり合ってしまう、いわゆるキャリーオーバーを抑制するために、使い捨てのチップを用いて検体の分注を行う分析装置が記載されている。図１６に示すように、この装置では、チップ装填ユニット４０１に装填されているディスポーザブルチップが、検体分注装置４０２の連結管に取り付けられて、検体容器４０３から検体が吸引される。検体の吸引は、検体吸引位置４０４において行われる。吸引された検体は、免疫反応テーブル４０５に保持された反応容器に分注される。検体の分注後、ディスポーザブルチップは、チップ装填ユニット４０１の廃棄ボックスに廃棄される。
【先行技術文献】
【特許文献】
【０００３】
【特許文献１】特開２０１０−１３３８２７号公報
【発明の概要】
【発明が解決しようとする課題】
【０００４】
検体を収容する検体容器は、通常、栓体により閉栓されている。このため、免疫検査に関する測定においては、たとえば、オペレータが検体容器から栓体を取り除いて検体容器の上部を開放させた状態で、検体容器が装置に供される。この場合、オペレータが検体容器から栓体を取り除くといった煩雑な手間があらかじめ必要になる。
【課題を解決するための手段】
【０００５】
本発明の第１の態様は、検体測定装置に関する。本態様に係る検体測定装置（１００）は、検体容器（１０）を閉栓している栓体（１１）を貫通可能で、栓体（１１）により閉栓された検体容器（１０）に収容された検体の吸引および吐出が可能なノズル（３１）を有し、ノズル（３１）により検体を検体容器（１０）から使い捨ての他の容器（２０、２２）に分注する分注機構（３０）と、ノズル（３１）を洗浄する洗浄機構（４０）と、分注機構（３０）により分注された検体の免疫検査に関する測定を行う第１測定部（５１）と、を備える。
【０００６】
免疫検査に関する測定は、免疫学的な分析項目の測定、免疫学的な反応による測定、などを含む。
【０００７】
本態様に係る検体測定装置によれば、ノズルを介して検体容器から直接的に検体が分注されるため、オペレータは、検体容器の栓体を取り外すといった手間を省略できる。これにより、免疫検査に関する測定を円滑に行うことができる。また、測定対象の検体に他の検体が意図せず混ざることは、キャリーオーバーと呼ばれる。キャリーオーバーが生じると、適正な測定結果を得られなくなる。本態様に係る検体測定装置によれば、検体の分注を行うノズルが洗浄機構により洗浄されるため、免疫検査に関する測定においてキャリーオーバーの影響を抑制できる。また、検体が分注される他の容器が使い捨ての容器であるため、たとえば、他の容器が検体ごとに取り替えられることにより、他の容器を介して異なる検体が混じり合うことによるキャリーオーバーを回避できる。よって、免疫検査に関する測定を適正に行うことができる。
【０００８】
本態様に係る検体測定装置（１００）において、洗浄機構（４０）は、ノズル（３１）の少なくとも検体が接触した内周面（３１ｂ）および外周面を洗浄液により洗浄するよう構成され得る。
【０００９】
本態様に係る検体測定装置（１００）において、洗浄機構（４０）は、注入口（４１ｂ）を備えるとともに、内部が開口（４１ａ）を介して上方に開放されている洗浄槽（４１）と、ノズル（３１）内に洗浄液を流す第１ポンプ（１８２）と、注入口（４１ｂ）に洗浄液を流す第２ポンプ（１９２）と、を備え、洗浄機構（４０）は、ノズル（３１）が開口（４１ａ）を介して洗浄槽（４１）内に挿入された状態で、第１ポンプ（１８２）を駆動することによりノズル（３１）内に洗浄液を流し、第２ポンプ（１９２）を駆動することにより注入口（４１ｂ）から洗浄槽（４１）内に洗浄液を流すよう構成され得る。こうすると、ノズルの内周面および外周面を円滑に洗浄できる。
【００１０】
本態様に係る検体測定装置（１００）において、洗浄機構（４０）は、所定の速度でノズル（３１）内に洗浄液を流してノズル（３１）内に乱流を生じさせることにより、ノズル（３１）の内周面を洗浄するよう構成され得る。こうすると、ノズル内を確実に洗浄できるため、異なる検体が混じり合うことによるキャリーオーバーを回避できる。
【００１１】
本態様に係る検体測定装置（１００）において、洗浄機構（４０）は、検体ごとにノズル（３１）を洗浄するよう構成され得る。
【００１２】
本態様に係る検体測定装置（１００）において、他の容器（２０、２２）は、検体ごとに取り替えられ得る。こうすると、他の容器を介して異なる検体が混じり合うことによるキャリーオーバーを回避できる。
【００１３】
本態様に係る検体測定装置（１００）において、免疫検査に関する測定は、抗原抗体反応を利用した測定とされ得る。
【００１４】
本態様に係る検体測定装置（１００）において、第１測定部（５１）は、検体に含まれる被検物質に基づく化学発光を測定するよう構成され得る。化学発光とは、化学反応によるエネルギーを利用して発せられる光であり、たとえば、化学反応により分子が励起されて励起状態になり、そこから基底状態に戻る時放出される光である。第１測定部が測定する化学発光は、たとえば、酵素免疫化学発光法（ＣＬＥＩＡ）、化学発光分析法（ＣＬＩＡ）、電気化学発光分析法（ＥＣＬＩＡ）、蛍光酵素測定法（ＦＥＩＡ法）、ＬＯＣＩ法（Luminescent Oxygen Channeling Immunoassay）、ＢＬＥＩＡ法（生物発光酵素免疫法）などに基づく光であってもよい。
【００１５】
本態様に係る検体測定装置（１００）において、第１測定部（５１）は、フォトンカウンティング可能な受光部（４２１）を備えるよう構成され得る。こうすると、第１測定部が化学発光の測定を行う場合、第１測定部により高感度かつ高精度な測定を行うことができる。
【００１６】
本態様に係る検体測定装置（１００）において、第１測定部（５１）は、光電子増倍管を備えるよう構成され得る。こうすると、第１測定部が化学発光の測定を行う場合、第１測定部により高感度かつ高精度な測定を行うことができる。
【００１７】
本態様に係る検体測定装置（１００）は、検体の測定を行う第２測定部（５２）をさらに備えるよう構成され得る。
【００１８】
この場合に、第２測定部（５２）は、免疫検査とは異なる検査に関する測定を行うよう構成され得る。こうすると、検体測定装置において、免疫検査に関する測定と免疫検査とは異なる検査とを、合わせて行うことができる。
【００１９】
また、第２測定部（５２）は、血液凝固検査または生化学検査に関する測定を行うよう構成され得る。
【００２０】
本態様に係る検体測定装置（１００）において、第２測定部（５２）は、測定試料に光を照射するための光源部（４１１）と、測定試料から生じた光を受光するための受光部（４１２）と、を備えるよう構成され得る。
【００２１】
本態様に係る検体測定装置（１００）において、分注機構（３０）は、第１測定部（５１）よりも第２測定部（５２）に近い位置に設置され得る。
【００２２】
本態様に係る検体測定装置（１００）において、分注機構（３０）は、第１測定部に供される検体を検体容器（１０）から分注するとともに、第２測定部（５２）に供される検体を検体容器（１０）から分注するよう構成され得る。こうすると、第１測定部のための分注機構と、第２測定部のための分注機構とを別々に設ける必要がないため、装置の構成を簡素化できる。
【００２３】
本態様に係る検体測定装置（１００）は、第１測定部（５１）が設置された第１測定ユニット（６１）と、第２測定部（５２）が設置された第２測定ユニット（６２）と、を備え、分注機構（３０）は、第２測定ユニット（６２）に設置され得る。
【００２４】
この場合に、本態様に係る検体測定装置（１００）は、分注機構（３０）によって検体が分注された他の容器（２０、２２）を、第１移送経路に沿って第１測定ユニット（６１）に移送する第１移送機構（１２０、１４２）と、分注機構（３０）によって検体が分注された他の容器（２０、２２）を、第２移送経路に沿って第２測定部（５２）に移送する第２移送機構（１０６、１２０、１４２）と、を備えるよう構成され得る。
【００２５】
この場合に、第１移送経路および第２移送経路は、少なくとも共通の移送経路を含むよう構成され得る。こうすると、第１移送経路および第２移送経路が別々の移送経路である場合に比べて、検体測定装置をコンパクトに構成できる。
【００２６】
本態様に係る検体測定装置（１００）は、他の容器（２０、２２）を廃棄するための廃棄口（１０７、２８３）を備えるよう構成され得る。こうすると、検体ごとに取り替えられた他の容器を円滑に廃棄できる。
【００２７】
本態様に係る検体測定装置（１００）は、検体容器（１０）を保持した検体ラック（１０１）を搬送して、検体容器（１０）を分注機構（３０）の吸引位置（１０３ａ）に搬送する搬送ユニット（６３）を備えるよう構成され得る。
【００２８】
本態様に係る検体測定装置（１００）において、検体は、全血、血漿、または血清とされ得る。
【００２９】
本発明の第２の態様は、検体測定方法に関する。本態様に係る検体測定方法は、検体容器（１０）を閉栓している栓体（１１）を貫通可能で、栓体（１１）により閉栓された検体容器（１０）に収容された検体の吸引および吐出が可能なノズル（３１）を洗浄し（Ｓ１）、洗浄されたノズル（３１）により検体を検体容器（１０）から使い捨ての他の容器（２０、２２）に分注し（Ｓ５）、分注した検体の免疫検査に関する測定を行う（Ｓ２２）。
【００３０】
本態様に係る検体測定方法によれば、第１の態様と同様の効果が奏される。
【００３１】
本発明の第３の態様は、検体測定装置に関する。本態様に係る検体測定装置（１００）は、検体容器（１０）を閉栓している栓体（１１）を貫通可能で、栓体（１１）により閉栓された検体容器（１０）に収容された検体の吸引および吐出が可能なノズル（３１）を有し、ノズル（３１）により検体を検体容器（１０）から使い捨ての他の容器（２０、２２）に分注する分注機構（３０）と、分注機構（３０）により分注された検体に対して第１検査に関する測定を行う第１測定部（５１）と、分注機構（３０）により分注された検体に対して第１検査と異なる第２検査に関する測定を行う第２測定部（５２）と、を備える。
【００３２】
本態様に係る検体測定装置によれば、ノズルを介して検体容器から直接的に検体が分注されるため、オペレータは、検体容器の栓体を取り外すといった手間を省略できる。これにより、測定を円滑に行うことができる。また、検体が分注される他の容器が使い捨ての容器であるため、たとえば、他の容器が検体ごとに取り替えられることにより、他の容器を介して検体が混じり合うことによるキャリーオーバーを回避できる。よって、測定を適正に行うことができる。
【００３３】
本態様に係る検体測定装置（１００）において、第２測定部（５２）は、第２検査として血液凝固検査または生化学検査に関する測定を行い、第１測定部（５１）は、第１検査として第２測定部（５２）よりも高感度な検査に関する測定を行うよう構成され得る。
【００３４】
本態様に係る検体測定装置（１００）において、第１測定部（５１）は、第１検査として免疫検査に関する測定を行うよう構成され得る。
【発明の効果】
【００３５】
本発明によれば、免疫検査に関する測定を円滑かつ適正に行うことができる。
【図面の簡単な説明】
【００３６】
【図１】図１は、実施形態に係る検体測定装置の概要構成を模式的に示す図である。
【図２】図２は、実施形態に係る検体測定装置の具体的構成を示す図である。
【図３】図３は、実施形態に係る第２測定ユニットおよび搬送ユニットの構成を模式的に示す図である。
【図４】図４（ａ）は、実施形態に係る検体容器の構成を模式的に示す斜視図である。図４（ｂ）は、実施形態に係る検体容器の構成を模式的に示す断面図である。図４（ｃ）は、実施形態に係る検体容器にノズルが貫通した状態を模式的に示す断面図である。
【図５】図５は、実施形態に係る分注機構の構成を模式的に示す側面図である。
【図６】図６（ａ）は、実施形態に係る洗浄槽の構成を模式的に示す断面図である。図６（ｂ）は、実施形態に係る洗浄機構の構成を模式的に示す図である。
【図７】図７（ａ）は、変更例に係る洗浄槽の構成を模式的に示す断面図である。図７（ｂ）は、実施形態に係る右側の検体吸引位置から検体を吸引する分注機構を洗浄するための洗浄槽の構成を模式的に示す断面図である。図７（ｃ）は、変更例に係る右側の検体吸引位置から検体を吸引する分注機構を洗浄するための洗浄槽の構成を模式的に示す断面図である。
【図８】図８は、実施形態に係る第１測定ユニットの構成を模式的に示す図である。
【図９】図９は、実施形態に係る第１測定ユニットの移送部および分注部の構成を模式的に示す図である。
【図１０】図１０（ａ）、（ｂ）は、それぞれ、実施形態に係る第２測定部および第１測定部の構成を模式的に示す図である。
【図１１】図１１は、実施形態に係る第２測定ユニットの回路構成を示す図である。
【図１２】図１２は、実施形態に係る第１測定ユニットの回路構成を示す図である。
【図１３】図１３は、実施形態に係る第２測定ユニット内における検体の移送経路について説明する図である。
【図１４】図１４は、実施形態に係る分注機構に関する処理を示すフローチャートである。
【図１５】図１５（ａ）、（ｂ）は、それぞれ、実施形態に係る第２検体および第１検体が分注された場合の検体測定装置が行う処理を示すフローチャートである。
【図１６】図１６は、関連技術に係る構成を説明するための模式図である。
【発明を実施するための形態】
【００３７】
図１を参照して、実施形態の検体測定装置の概要を説明する。図１において、ＸＹＺ軸は互いに直交しており、Ｘ軸正方向は左方向に対応し、Ｙ軸正方向は後ろ方向に対応し、Ｚ軸正方向は鉛直下方向に対応する。なお、他の図においても、ＸＹＺ軸は図１と同様に設定されている。
【００３８】
検体測定装置１００は、栓体１１により閉栓された検体容器１０に収容された検体を測定する。検体容器１０は、内部に検体を収容しており、検体容器１０の上部は、栓体１１により密封されている。栓体１１は、たとえば、弾力性を有する合成樹脂により構成される。
【００３９】
検体測定装置１００は、分注機構３０と、洗浄機構４０と、第１測定部５１と、を備える。分注機構３０は、ノズル３１とアーム３２を備える。ノズル３１は、栓体１１を貫通可能で、検体の吸引および吐出が可能に構成されている。ノズル３１は、吸引管である。アーム３２の端部には、ノズル３１が設けられ、アーム３２は、旋回可能に構成されている。分注機構３０は、ノズル３１により、検体を検体容器１０から他の容器２０に分注する。洗浄機構４０は、洗浄槽４１を備える。また、洗浄機構４０は、洗浄槽４１に洗浄液を供給するための機構と、ノズル３１の内部に洗浄液を供給するための機構と、を備える。洗浄機構４０は、ノズル３１を洗浄する。
【００４０】
検体容器１０が所定の位置に位置付けられると、分注機構３０は、アーム３２を旋回させてノズル３１を検体容器１０の真上に位置付ける。続いて、分注機構３０は、アーム３２を下降させてノズル３１を下降させる。これにより、ノズル３１の先端が、栓体１１を下方向に貫通する。そして、分注機構３０は、ノズル３１の先端から検体容器１０内の検体を吸引する。
【００４１】
検体が吸引されると、分注機構３０は、アーム３２を上昇させてノズル３１を上昇させる。これにより、ノズル３１が栓体１１から抜き取られる。続いて、分注機構３０は、アーム３２を旋回させてノズル３１を他の容器２０の真上に位置付ける。他の容器２０は、上部が上方向に開放した容器である。分注機構３０は、アーム３２を下降させてノズル３１の先端を他の容器２０に挿入する。そして、分注機構３０は、検体容器１０から吸引した検体を他の容器２０に吐出する。他の容器２０は、使い捨ての容器である。
【００４２】
その後、他の容器２０に吐出された検体は、他の容器２０および他の容器２０から移し替えられた容器によって移送され、所定の試薬が添加される。そして、所定の試薬が添加された検体は、第１測定部５１に移送される。第１測定部５１は、第２測定部５２で行われる検査よりも高感度な検査に関する測定を行う。具体的には、第１測定部５１は、検体の免疫検査に関する測定を行う。免疫検査に関する測定は、免疫学的な分析項目の測定、免疫学的な反応による測定、などを含む。実施形態における免疫検査に関する測定は、抗原抗体反応を利用した測定である。
【００４３】
検体容器１０から他の容器２０への分注を終えた分注機構３０は、アーム３２を旋回および下降させてノズル３１の先端を洗浄槽４１の内部に挿入する。そして、洗浄機構４０は、ノズル３１の内部に高圧で洗浄液を流して、ノズル３１の先端から洗浄液を排出させる。また、洗浄機構４０は、洗浄槽４１に洗浄液を供給する。洗浄槽４１には、洗浄槽４１の内部に放出された洗浄液を排出するための排出口が設けられている。これにより、ノズル３１の内周面および外周面が洗浄される。このようなノズル３１の洗浄は、異なる検体の吸引ごとに行われる。
【００４４】
以上のように、ノズル３１を介して検体容器１０から直接的に検体が分注されるため、オペレータは、検体容器１０の栓体１１を取り外すといった手間を省略できる。これにより、免疫検査に関する測定を円滑に行うことができる。
【００４５】
また、測定対象の検体に他の検体が意図せず混ざることは、キャリーオーバーと呼ばれる。キャリーオーバーが生じると、適正な測定結果を得られなくなる。免疫検査に関する測定は、キャリーオーバーが問題となりやすい高感度な検査に関する測定であり、キャリーオーバー回避レベルが高い測定である。上記構成によれば、検体の分注を行うノズル３１が洗浄機構４０により洗浄されるため、免疫検査に関する測定においてキャリーオーバーの影響を抑制できる。また、検体が分注される他の容器２０は、使い捨ての容器であるため、たとえば、他の容器２０が検体ごとに取り替えられることにより、他の容器２０を介して異なる検体が混じり合うことによるキャリーオーバーを回避できる。よって、免疫検査に関する測定を適正に行うことができる。
【００４６】
＜具体的構成＞
以下、検体測定装置１００の具体的な構成について説明する。
【００４７】
図２に示すように、検体測定装置１００は、第１測定ユニット６１と、第２測定ユニット６２と、搬送ユニット６３と、分析ユニット６４と、を備える。第１測定ユニット６１は、分析ユニット６４に対して通信可能に接続されている。第２測定ユニット６２は、搬送ユニット６３と分析ユニット６４に対して通信可能に接続されている。
【００４８】
第１測定ユニット６１は、制御部６１ａと、免疫検査に関する測定を行う第１測定部５１と、を備える。制御部６１ａは、第１測定ユニット６１の各部を制御する。制御部６１ａは、たとえば、ＣＰＵやマイクロコンピュータにより構成される。第２測定ユニット６２は、制御部６２ａと、分注機構３０と、血液凝固検査に関する測定を行う第２測定部５２と、を備える。制御部６２ａは、第２測定ユニット６２の各部を制御する。制御部６２ａは、たとえば、ＣＰＵやマイクロコンピュータにより構成される。搬送ユニット６３は、検体容器１０を第２測定ユニット６２に搬送するための機構を備える。分析ユニット６４は、たとえば、パーソナルコンピュータにより構成される。分析ユニット６４は、制御部６４ａを備える。制御部６４ａは、たとえば、ＣＰＵにより構成される。
【００４９】
１つの検体に対して第１測定部５１および第２測定部５２の両方で測定が行われる場合、分注機構３０は、検体容器１０内の検体を２つの新しい反応容器２２に分注する。具体的には、分注機構３０は、検体容器１０内から検体を吸引し、吸引した検体を新しい反応容器２２に吐出する分注動作を２回繰り返す。最初に反応容器２２に分注された検体は、第２測定部５２で測定が行われる検体であり、次に反応容器２２に分注された検体は、第１測定部５１で測定が行われる検体である。この場合の反応容器２２に分注される検体は、血漿である。
【００５０】
１つの検体に対して第１測定部５１のみで測定が行われる場合、分注機構３０は、検体容器１０内の検体を１つの新しい反応容器２２に分注する。この場合の反応容器２２に分注される検体は、血漿または血清である。１つの検体に対して第２測定部５２のみで測定が行われる場合、分注機構３０は、検体容器１０内の検体を１つの新しい反応容器２２に分注する。この場合の反応容器２２に分注される検体は、血漿である。
【００５１】
なお、反応容器２２に分注される検体は、体液であればよく、たとえば、全血、尿、リンパ液、体腔液であってもよい。反応容器２２に分注される検体が全血である場合、反応容器２２に分注された全血から、血漿または血清を精製するための処理が行われる。
【００５２】
反応容器２２は、上方に開口を有する容器であり、いわゆるキュベットである。反応容器２２は、第２測定ユニット６２の第２測定部５２において測定を行うための使い捨ての容器であり、検体ごとに取り替えられる。反応容器２２は、図１の他の容器２０に対応する。
【００５３】
第２測定ユニット６２は、第１測定部５１で測定するための検体が分注された反応容器２２を、第１測定ユニット６１に移送する。第１測定ユニット６１は、第２測定ユニット６２から移送された反応容器２２内の第１検体を、反応容器２１に移し替える。反応容器２１は、上方に開口を有する容器であり、いわゆるキュベットである。反応容器２１は、第１測定ユニット６１の第１測定部５１において測定を行うための使い捨ての容器であり、検体ごとに取り替えられる。第１測定ユニット６１は、第１検体が分注された反応容器２１に所定の試薬を添加して測定試料を調製し、測定試料を収容した反応容器２１を第１測定部５１に移送する。第１測定部５１は、反応容器２１内の測定試料から生じた光、すなわち、第１検体に含まれる被検物質に基づく化学発光を測定する。制御部６１ａは、第１測定部５１が測定した光に基づいて測定データを生成する。
【００５４】
ここで、化学発光とは、化学反応によるエネルギーを利用して発せられる光であり、たとえば、化学反応により分子が励起されて励起状態になり、そこから基底状態に戻る時に放出される光である。実施形態において第１測定部５１が測定する化学発光は、酵素免疫化学発光法（ＣＬＥＩＡ）に基づく光であり、酵素と基質との反応により生じた光である。なお、第１測定部５１が測定する化学発光は、たとえば、化学発光分析法（ＣＬＩＡ）、電気化学発光分析法（ＥＣＬＩＡ）、蛍光酵素測定法（ＦＥＩＡ法）、ＬＯＣＩ法（Luminescent Oxygen Channeling Immunoassay）、ＢＬＥＩＡ法（生物発光酵素免疫法）などに基づく光であってもよい。
【００５５】
第２測定ユニット６２は、第２測定部５２で測定するための検体が分注された反応容器２２を、第２測定部５２に移送する。このとき、第２測定ユニット６２は、この反応容器２２に所定の試薬を添加して測定試料を調製し、測定試料を収容した反応容器２２を第２測定部５２に移送する。第２測定部５２は、反応容器２２内の測定試料に光を照射し、測定試料を透過した光または測定試料により散乱された光を測定する。第２測定部５２の測定原理は、たとえば、凝固法、合成基質法、免疫比濁法、凝集法、などである。制御部６２ａは、第２測定部５２が測定した光に基づいて測定データを生成する。
【００５６】
分析ユニット６４の制御部６４ａは、第１測定ユニット６１で生成された測定データに基づいて、免疫検査に関する分析を行う。具体的には、制御部６４ａは、ＨＢｓ抗原、ＨＢｓ抗体、ＨＢｃ抗体、ＨＢｅ抗原、ＨＢｅ抗体、ＨＣＶ抗体、ＴＰ抗体、ＨＴＬＶ抗体、ＨＩＶ抗原・抗体、ＴＡＴ、ＰＩＣ、ＴＭ、ｔＰＡＩ・ｃ、ＴＳＨ、ＦＴ３、ＦＴ４などの分析項目について分析を行う。
【００５７】
また、制御部６４ａは、第２測定ユニット６２で生成された測定データに基づいて、血液凝固検査に関する分析を行う。具体的には、制御部６４ａは、ＰＴ、ＡＰＴＴ、Ｆｂｇ、外因系凝固因子、内因系凝固因子、凝固第XIII因子、ＨｐＴ、ＴＴＯ、ＦＤＰ、Ｄダイマー、ＰＩＣ、ＦＭ、ATIII、Ｐｌｇ、ＡＰＬ、ＰＣ、ＶＷＦ：Ａｇ、ＶＷＦ：ＲＣｏ、ＡＤＰ、コラーゲン、エピネフリンなどの分析項目について分析を行う。
【００５８】
なお、第２測定ユニット６２は、血液凝固検査とは異なる検査に関する測定を行ってもよい。たとえば、第２測定ユニット６２は、生化学検査に関する測定を行ってもよい。この場合、制御部６４ａは、第２測定ユニット６２で生成された測定データに基づいて、生化学検査に関する分析を行う。具体的には、制御部６４ａは、Ｔ−ＢＩＬ、Ｄ−ＢＩＬ、ＡＳＴ、ＡＬＴ、ＡＬＰ、ＬＤＨ、γ−ＧＴＰ、Ｔ−ＣＨＯ、ＣＲＥ、ＣＫなどの分析項目について分析を行う。
【００５９】
実施形態では、図２に示すように、分注機構３０は、検体測定装置１００において、第１測定部５１よりも第２測定部５２に近い位置に設置されているが、第２測定部５２よりも第１測定部５１に近い位置に設置されてもよい。また、搬送ユニット６３は、第１測定ユニット６１の前方に配置され、分注機構３０は、第１測定ユニット６１内に設置されてもよい。
【００６０】
図３に示すように、搬送ユニット６３は、ラックセット部６３ａと、ラック搬送部６３ｂと、ラック回収部６３ｃと、を備える。ラックセット部６３ａとラック回収部６３ｃは、それぞれ、ラック搬送部６３ｂの右端および左端に繋がっている。ラック搬送部６３ｂの後方には、バーコードリーダ１０２が配置されている。オペレータは、検体容器１０をセットした検体ラック１０１を、ラックセット部６３ａに設置する。
【００６１】
図４（ａ）、（ｂ）に示すように、検体容器１０は、栓体１１と、胴部１２と、蓋部１３と、バーコードラベル１４と、を備える。胴部１２は、透光性を有するガラスまたは合成樹脂により構成された採血管であり、検体を収容する。栓体１１は、上述したように弾力性を有する合成樹脂等により構成される。栓体１１は、検体を収容した胴部１２の上端の開口を密封する。栓体１１の上面には、凹部１１ａが形成されている。蓋部１３は、プラスチックにより構成され、胴部１２に装着された栓体１１を上側から覆っている。蓋部１３の中心には、上下に貫通する孔１３ａが形成されている。バーコードラベル１４は、胴部１２の側面に貼られている。バーコードラベル１４には、検体ＩＤを示すバーコードが印刷されている。検体ＩＤは、検体を個別に識別可能な情報である。
【００６２】
図４（ｃ）に示すように、ノズル３１は、金属により構成された細い棒状の部材である。ノズル３１の先端３１ａは、ノズル３１が栓体１１を容易に貫通できるように鋭利に尖っている。ノズル３１内の流路３１ｂは、ノズル３１が延びる方向に合わせて上下方向に延びており、先端３１ａ付近でノズル３１の側面からノズル３１の外部に繋がっている。ノズル３１によって検体容器１０内の検体が吸引される場合、ノズル３１の先端３１ａが、蓋部１３に形成された孔１３ａを介して栓体１１の凹部１１ａに位置付けられる。そして、ノズル３１が下方向に移動されることにより、先端３１ａが栓体１１を貫通し、ノズル３１の先端３１ａが胴部１２内に位置付けられる。これにより、検体容器１０内の検体の吸引が可能になる。
【００６３】
図３に戻り、搬送ユニット６３は、ラックセット部６３ａに設置された検体ラック１０１をラック搬送部６３ｂの右端に送り、さらに、バーコードリーダ１０２の前方へと送る。バーコードリーダ１０２は、検体容器１０のバーコードラベル１４からバーコードを読み取り、検体ＩＤを取得する。取得された検体ＩＤは、検体に対する測定オーダの取得のために、分析ユニット６４に送信される。
【００６４】
続いて、搬送ユニット６３は、検体容器１０を保持した検体ラック１０１を搬送して、検体容器１０を順次、検体吸引位置１０３ａまたは検体吸引位置１０３ｂに位置付ける。検体吸引位置１０３ａは、分注機構３０が検体を吸引するための位置であり、検体吸引位置１０３ｂは、後述する分注機構１１０が検体を吸引するための位置である。搬送ユニット６３は、検体ラック１０１に保持された全ての検体容器１０に対する検体の吸引が終了すると、検体ラック１０１をラック回収部６３ｃへと搬送する。
【００６５】
第２測定ユニット６２は、分注機構３０、１１０と、洗浄槽４１、１０４と、反応容器テーブル１２０と、試薬テーブル１３０と、加温テーブル１４０と、反応容器収納部１５１と、反応容器供給部１５２と、移送部１０５、１０６と、試薬分注部１６１、１６２と、第２測定部５２と、廃棄口１０７と、を備える。
【００６６】
図５に示すように、分注機構３０は、本体部３０ａと、ノズル３１と、アーム３２と、軸部３３と、ガイド部材３４と、センサ３５と、を備える。図５には、分注機構３０のほか、検体吸引位置１０３ａに位置付けられた検体容器１０と、検体吸引位置１０３ａの真上に設けられた洗浄部３６とが図示されている。
【００６７】
本体部３０ａは、軸部３３をＺ軸方向に移動させるための駆動部３７と、Ｚ軸方向を回転の中心として軸部３３を回転させるための駆動部３８と、を備える。駆動部３７、３８は、ステッピングモータにより構成される。軸部３３は、アーム３２を支持している。ノズル３１は、アーム３２の端部において下方向に向けて設置されている。ガイド部材３４は、軸部３３の回転に合わせて回転可能であり、かつ、Ｚ軸方向の位置が変わらないように軸部３３に対して設置されている。ガイド部材３４の先端には上下方向に貫通する孔３４ａが形成されており、ノズル３１は、孔３４ａに通されている。孔３４ａにより、ノズル３１の移動方向がＺ軸方向に規制される。センサ３５は、ノズル３１の先端３１ａが液面に接触したことを検知するためのセンサである。センサ３５は、たとえば、静電容量式のセンサにより構成される。
【００６８】
洗浄部３６は、上下方向に貫通する通路３６ａを有する。洗浄部３６は、ノズル３１が検体容器１０から検体の吸引を行う際に、ノズル３１が通路３６ａを通過するように配置されている。洗浄部３６は、ノズル３１が通路３６ａを通過する際に、内部で洗浄液を吐出および吸引してノズル３１の簡易的な洗浄を行う。
【００６９】
検体の吸引の際、制御部６２ａは、センサ３５の検知をオフにした状態でノズル３１を下降させて栓体１１に貫通させた後、センサ３５の検知をオンにして、さらにノズル３１の下降を継続するよう、分注機構３０を制御する。そして、制御部６２ａは、ノズル３１の先端３１ａが検体の液面に接触したことを、センサ３５により検出する。制御部６２ａは、先端３１ａが液面に接触した後、所定量だけノズル３１を下降させて検体を吸引するよう、分注機構３０を制御する。この場合の液面からのノズル３１の下降量は、後述する記憶部６２ｂに記憶されている。具体的には、この場合の液面からのノズル３１の下降量は、先端３１ａが検体中の上方に位置するように、またノズル３１が空吸いを行わないように決められる。記憶部６２ｂには、下降量に相当するパルス数、すなわち、駆動部３７を駆動してノズル３１を下降させるために必要なパルス数が記憶されている。
【００７０】
図３に戻り、分注機構１１０は、分注機構３０と同様、ノズル１１１とアーム１１２を備え、図５に示す構成と同様の構成を有する。
【００７１】
分注機構３０は、検体吸引位置１０３ａに位置付けられた検体容器１０から検体を吸引する。このとき、図４（ｃ）を参照して説明したように、ノズル３１が栓体１１を貫通するようノズル３１が下方向に駆動され、ノズル３１の流路３１ｂに負圧が付与されることにより、検体が流路３１ｂ内に吸引される。その後、ノズル３１が上方向に駆動され、ノズル３１の先端３１ａが栓体１１から抜き取られる。分注機構３０は、吸引した検体を、反応容器テーブル１２０に保持された新しい反応容器２２に吐出する。
【００７２】
ここで、検体吸引位置１０３ａに位置付けられた検体には、第１測定ユニット６１で免疫検査に関する測定を行う測定オーダが設定されている場合と、第２測定ユニット６２で血液凝固検査に関する測定を行う測定オーダが設定されている場合と、両方の測定ユニットで測定を行う測定オーダが設定されている場合と、がある。
【００７３】
免疫検査に関する測定オーダのみが設定されている場合、分注機構３０は、検体容器１０から１回だけ検体を吸引し、吸引した検体を免疫検査に関する測定を行うための「第１検体」として、反応容器テーブル１２０の反応容器２２に吐出する。血液凝固検査に関する測定オーダのみが設定されている場合、分注機構３０は、検体容器１０から１回だけ検体を吸引し、吸引した検体を血液凝固検査に関する測定を行うための「第２検体」として、反応容器テーブル１２０の反応容器２２に吐出する。
【００７４】
免疫検査と血液凝固検査の両方の測定オーダが設定されている場合、分注機構３０は、検体容器１０から２回に分けて検体を吸引し、それぞれ反応容器テーブル１２０の異なる反応容器２２に吐出する。このとき、分注機構３０は、最初に吸引した検体を、血液凝固検査に関する測定を行うための「第２検体」として反応容器２２に吐出し、後で吸引した検体を、免疫検査に関する測定を行うための「第１検体」として反応容器２２に吐出する。
【００７５】
なお、分注機構１１０は、栓体１１により検体容器１０の上部が密封されていない検体容器１０から、血液凝固検査に関する測定オーダのみが設定されている検体を吸引する。分注機構１１０は、吸引した検体を、血液凝固検査に関する測定を行うための「第２検体」として反応容器２２に吐出する。
【００７６】
反応容器テーブル１２０は、平面視においてリング形状を有し、試薬テーブル１３０の外側に配置されている。反応容器テーブル１２０は、周方向に回転可能に構成されている。反応容器テーブル１２０は、反応容器２２を保持するための複数の保持孔１２１を有する。
【００７７】
反応容器収納部１５１は、新しい反応容器２２を収納する。反応容器供給部１５２は、反応容器収納部１５１から反応容器２２を１つずつ取り出し、取り出した反応容器２２を、移送部１０５による把持位置に供給する。移送部１０５は、反応容器供給部１５２によって把持位置に供給された反応容器２２を把持して、反応容器テーブル１２０の保持孔１２１にセットする。
【００７８】
分注機構３０は、検体吸引位置１０３ａに位置付けられた１つの検体容器１０に対する分注を終えると、ノズル３１を洗浄槽４１に位置付ける。洗浄槽４１に位置付けられたノズル３１は、洗浄槽４１内において洗浄される。このように、ノズル３１は、検体ごとに洗浄槽４１内で洗浄される。同様に、分注機構１１０は、検体吸引位置１０３ｂに位置付けられた１つの検体容器１０に対する分注を終えると、ノズル１１１を洗浄槽１０４に位置付ける。洗浄槽１０４に位置付けられたノズル１１１は、洗浄槽１０４内で洗浄される。このように、ノズル１１１は、検体ごとに洗浄槽１０４内で洗浄される。
【００７９】
図６（ａ）に示すように、洗浄槽４１は、内部が開口４１ａを介して上方に開放された容器である。洗浄槽４１の上部には、注入口４１ｂが形成されており、洗浄槽４１の下部には、排出口４１ｃが形成されている。注入口４１ｂは、注入路４１ｄにより洗浄槽４１の外部と繋がっている。排出口４１ｃは、排出路４１ｅにより洗浄槽４１の外部と繋がっている。注入路４１ｄは、注入口４１ｂに近づくにつれて、斜め下方向に向くように形成されており、排出路４１ｅは、排出口４１ｃに近づくにつれて、斜め上方向に向くように形成されている。
【００８０】
ノズル３１の洗浄が行われる場合、ノズル３１が開口４１ａを介して上方から洗浄槽４１内へと挿入される。このとき、検体が接触したノズル３１の外周面に、注入口４１ｂから注入される洗浄液が掛かるよう、ノズル３１が開口４１ａに挿入される。そして、洗浄液が、注入路４１ｄおよび注入口４１ｂを介して洗浄槽４１内へと注入され、排出口４１ｃおよび排出路４１ｅを介して排出される。これにより、ノズル３１の外周面が洗浄される。また、ノズル３１の流路３１ｂに洗浄液が流される。流路３１ｂ内の洗浄液は、先端３１ａ付近に設けられた流路３１ｂの出口から排出される。これにより、ノズル３１の内周面、すなわち流路３１ｂが洗浄される。こうして、ノズル３１の少なくとも検体が接触した内周面および外周面が洗浄液により洗浄される。
【００８１】
ここで、ノズル３１の流路３１ｂは、洗浄液により高圧で洗浄される。具体的には、流路３１ｂ内で乱流が発生するように、流路３１ｂに流される洗浄液の流速が高められる。一般に、レイノルズ数が４０００より大きくなると、乱流が生じるとされる。流体の密度をρ、流体の流れる速度をＵ、流路の内径をｄ、粘性係数をμとすると、レイノルズ数Ｒｅは、以下の式により算出される。
【００８２】
Ｒｅ＝ρＵｄ／μ
【００８３】
図６（ｂ）を参照して、洗浄機構４０の構成について説明する。図６（ｂ）に示すように、洗浄機構４０は、ノズル３１の流路３１ｂに洗浄液を流すための流路および機構と、洗浄槽４１に洗浄液を流すための流路および機構と、を備える。
【００８４】
洗浄液は、洗浄液チャンバ１７１に貯留されている。洗浄液チャンバ１７１は、逆流防止弁１８１を介して、第１ポンプ１８２と流路により接続されている。第１ポンプ１８２は、高圧で洗浄液を送液可能なシリンジにより構成される。第１ポンプ１８２の送液側は、電磁弁１８３を介して定量シリンジ１８４と流路により接続されている。定量シリンジ１８４の送液側は、第１流路１８５によりノズル３１の流路３１ｂと接続されている。
【００８５】
一方、洗浄液チャンバ１７１は、逆流防止弁１９１を介して、第２ポンプ１９２と流路により接続されている。第２ポンプ１９２は、洗浄液を送液可能なシリンジにより構成される。第２ポンプ１９２の送液側は、電磁弁１９３を介して第２流路１９４により洗浄槽４１の注入路４１ｄおよび注入口４１ｂと接続されている。洗浄槽４１の排出口４１ｃおよび排出路４１ｅは、第３流路１９５を介して第３ポンプ１９６と接続されている。第３ポンプ１９６は、第３流路１９５に陰圧を付与可能なシリンジにより構成される。第３ポンプ１９６の送液側は、洗浄液を廃棄するための流路に接続されている。
【００８６】
ノズル３１により検体の分注が行われる場合、定量シリンジ１８４は、第１流路１８５に陰圧を付与することにより、流路３１ｂに検体を取り込み、第１流路１８５に陽圧を付与することにより、流路３１ｂに取り込んだ検体を吐出する。
【００８７】
ノズル３１の流路３１ｂが洗浄される場合、電磁弁１８３が閉じられた状態で、第１ポンプ１８２は、洗浄液チャンバ１７１から洗浄液を取り込む。続いて、電磁弁１８３が開放された状態で、第１ポンプ１８２は、取り込んだ洗浄液を、電磁弁１８３、定量シリンジ１８４、および第１流路１８５を介して、ノズル３１の流路３１ｂに流す。このとき上記式で示したレイノルズ数Ｒｅが４０００より大きくなるように、流路３１ｂを流れる洗浄液の流速が設定され、この流速が実現されるように、第１ポンプ１８２が駆動される。これにより、流路３１ｂ内で乱流が発生し、流路３１ｂ内の洗浄効果が高められる。また、ノズル３１内を確実に洗浄できるため、ノズル３１を介して異なる検体が混じり合うことによるキャリーオーバーを回避できる。
【００８８】
なお、ノズル３１の流路３１ｂの下端は、検体容器１０の栓体１１を貫通する際に流路３１ｂに栓体１１の破片が詰まることを防ぐために、図６（ａ）に示すように、ノズル３１の外周側面に繋がっている。このため、流路３１ｂに通された洗浄液は、ノズル３１の側方に排出される。そして、洗浄液を排出するための排出路４１ｅが斜め下方向に延びている。このように、流路３１ｂから排出される洗浄液の方向と、排出路４１ｅの方向が一致しているため、流路３１ｂから排出された洗浄液は、円滑に排出口４１ｃを介して排出路４１ｅへと回収される。
【００８９】
ノズル３１の外周面が洗浄される場合、電磁弁１９３が閉じられた状態で、第２ポンプ１９２は、洗浄液チャンバ１７１から洗浄液を取り込む。続いて、電磁弁１９３が開放された状態で、第２ポンプ１９２は、取り込んだ洗浄液を、電磁弁１９３および第２流路１９４を介して、洗浄槽４１の注入口４１ｂから洗浄槽４１内に流す。第２流路１９４を流れる洗浄液の流速は、ノズル３１の外周面が過不足なく洗浄される程度に設定される。また、洗浄槽４１内に洗浄液が流されるとき、第３ポンプ１９６が駆動され、排出口４１ｃおよび排出路４１ｅから第３流路１９５内に洗浄液が引き込まれる。第３ポンプ１９６は、第３流路１９５内に引き込んだ洗浄液を、廃棄するための流路に流す。
【００９０】
図６（ｂ）に示すように、洗浄機構４０が構成されることにより、ノズル３１の内周面および外周面を円滑に洗浄できる。
【００９１】
なお、図６（ａ）に示した洗浄槽４１は、図７（ａ）に示すように構成されてもよい。すなわち、図７（ａ）に示す洗浄槽４１では、注入口４１ｂは、洗浄槽４１の下部に形成され、注入路４１ｄは、注入口４１ｂに近づくにつれて、斜め上方向に向くように形成されている。排出口４１ｃは、洗浄槽４１の上部に形成され、排出路４１ｅは、排出口４１ｃに近づくにつれて、斜め下方向に向くように形成されている。この場合も、注入口４１ｂから注入された洗浄液が、排出口４１ｃから排出されることにより、ノズル３１の外周面が洗浄される。
【００９２】
図７（ｂ）に示すように、洗浄槽１０４は、上部が開口１０４ａを介して上方に開放された容器である。洗浄槽１０４の下部には、注入口１０４ｂが形成されており、洗浄槽１０４の上部には、排出口１０４ｃが形成されている。注入口１０４ｂは、注入路１０４ｄにより洗浄槽１０４の外部と繋がっている。排出口１０４ｃは、排出路１０４ｅにより洗浄槽１０４の外部と繋がっている。注入路１０４ｄと排出路１０４ｅは、水平方向に延びるように形成されている。ノズル１１１の先端１１１ａは、鋭利に尖っておらず、ノズル１１１内の流路１１１ｂは上下方向に延びている。
【００９３】
ノズル１１１の洗浄が行われる場合、ノズル１１１が開口１０４ａを介して上方から洗浄槽１０４内へと挿入される。そして、洗浄液が、注入路１０４ｄおよび注入口１０４ｂを介して洗浄槽１０４内へと注入され、排出口１０４ｃおよび排出路１０４ｅを介して排出される。これにより、ノズル１１１の外周面が洗浄される。また、ノズル１１１の流路１１１ｂに洗浄液が流される。これにより、ノズル１１１の内周面、すなわち流路１１１ｂが洗浄される。
【００９４】
洗浄槽１０４およびノズル１１１についても、図６（ｂ）に示した洗浄槽４１およびノズル３１の場合と同様の流路および機構が構成される。ただし、上述したように、ノズル１１１は、血液凝固検査に関する測定のみに用いられる検体を分注する。血液凝固検査に関する測定におけるキャリーオーバーレベルは、免疫検査に関する測定におけるキャリーオーバーレベルに比べて低い。したがって、洗浄槽１０４およびノズル１１１の場合、図６（ｂ）と同様の流路および機構において第１ポンプは省略され、定量シリンジによって流路１１１ｂに洗浄液が流されてもよい。
【００９５】
また、洗浄槽１０４は、図７（ｃ）に示すように構成されてもよい。すなわち、図７（ｃ）に示す洗浄槽１０４では、注入口１０４ｂおよび注入路１０４ｄが、図６（ａ）の注入口４１ｂおよび注入路４１ｄと同様に構成され、排出口１０４ｃが洗浄槽１０４の底面に形成され、排出路１０４ｅが下方向に向かって延びている。ノズル１１１のように、流路１１１ｂが下方向に直線状に延びている場合、流路１１１ｂを通った洗浄液は下方向に排出される。このため、下方向に延びた排出路１０４ｅによって円滑に洗浄液が回収される。
【００９６】
図３に戻り、加温テーブル１４０は、反応容器２２を保持するための複数の保持孔１４１と、反応容器２２を移送するための移送部１４２と、を備える。加温テーブル１４０は、平面視において円形の輪郭を有し、周方向に回転可能に構成されている。加温テーブル１４０は、保持孔１４１にセットされた反応容器２２を３７℃に加温する。
【００９７】
反応容器テーブル１２０に保持された新しい反応容器２２に第１検体が吐出されると、反応容器テーブル１２０が回転され、第１検体を収容する反応容器２２が加温テーブル１４０の近傍まで移送される。そして、加温テーブル１４０の移送部１４２が、この反応容器２２を把持して、図８を参照して後述する保持孔２０１ａに移送する。他方、反応容器テーブル１２０に保持された新しい反応容器２２に第２検体が吐出されると、反応容器テーブル１２０が回転され、第２検体を収容する反応容器２２が加温テーブル１４０の近傍まで移送される。そして、加温テーブル１４０の移送部１４２が、この反応容器２２を把持して、加温テーブル１４０の保持孔１４１にセットする。
【００９８】
試薬テーブル１３０は、血液凝固検査に関する測定に使用する調整試薬およびトリガー試薬を収容した試薬容器１３１を複数設置可能に構成されている。試薬テーブル１３０は周方向に回転可能に構成されている。試薬分注部１６１、１６２は、加温テーブル１４０で加温された反応容器２２に試薬を分注する。
【００９９】
調整試薬を反応容器２２に分注する場合、加温テーブル１４０の移送部１４２が、加温テーブル１４０の保持孔１４１から反応容器２２を取り出し、所定の位置に位置付ける。そして、試薬分注部１６１または試薬分注部１６２は、試薬容器１３１から調整試薬を吸引し、吸引した調整試薬を反応容器２２に吐出する。こうして、検体に調整試薬が混合される。その後、移送部１４２は、反応容器２２を加温テーブル１４０の保持孔１４１に再びセットする。
【０１００】
トリガー試薬を反応容器２２に分注する場合、移送部１０６が、加温テーブル１４０の保持孔１４１から反応容器２２を取り出し、所定の位置に位置付ける。そして、試薬分注部１６１または試薬分注部１６２は、試薬容器１３１からトリガー試薬を吸引し、吸引したトリガー試薬を反応容器２２に分注する。こうして、検体にトリガー試薬が混合され、測定試料が調製される。その後、移送部１０６は、反応容器２２を第２測定部５２の保持孔５２ａにセットする。
【０１０１】
第２測定部５２は、複数の保持孔５２ａを備える。第２測定部５２は、保持孔５２ａにセットされた反応容器２２に対して光を照射し、測定試料を透過した光または測定試料により散乱された光を測定する。反応容器２２内の測定試料の測定が終了すると、この反応容器２２は、移送部１０６により廃棄口１０７に廃棄される。廃棄口１０７は、第２測定部５２で測定が終了した測定試料を収容する反応容器２２を廃棄するための孔により構成されている。廃棄口１０７は、廃棄する反応容器２２を回収するための箱に接続されている。廃棄口１０７により、検体ごとに取り替えられた反応容器２２を円滑に廃棄できる。
【０１０２】
図８に示すように、第１測定ユニット６１は、部材２０１と、移送部２０２と、受渡テーブル２１０、２２０と、部材２０３と、反応容器ラック２０４と、試薬テーブル２３０と、洗浄槽２０５と、加温部２４０と、ＢＦ分離部２５０と、試薬分注部２６０と、試薬収容部２７０と、部材２８１と、移送部２８２と、廃棄口２８３と、第１測定部５１と、を備える。
【０１０３】
部材２０１は、反応容器２２を保持するための保持孔２０１ａを備える。第２測定ユニット６２の移送部１４２は、第１検体を収容する反応容器２２を、反応容器テーブル１２０の保持孔１２１から取り出して、部材２０１の保持孔２０１ａにセットする。受渡テーブル２１０は、複数の保持孔２１１を備える。受渡テーブル２１０は、平面視において円形の輪郭を有し、周方向に回転可能に構成されている。移送部２０２は、保持孔２０１ａから反応容器２２を取り出して、受渡テーブル２１０の保持孔２１１にセットする。
【０１０４】
ここで、第１測定ユニット６１は、図８に示す各部に加えて、図９に示す移送部３１０と分注部３２０をさらに備える。移送部３１０は、Ｙ−Ｚ平面に平行な第１測定ユニット６１内の壁面に設置されており、分注部３２０は、第１測定ユニット６１の天井面に設置されている。
【０１０５】
図９に示すように、移送部３１０は、前後移送部３１１と、左右移送部３１２と、上下移送部３１３と、支持部材３１４と、把持部３１５と、を備える。前後移送部３１１は、ステッピングモータを駆動して、Ｙ軸方向に延びたレール３１１ａに沿って左右移送部３１２をＹ軸方向に移送する。左右移送部３１２は、ステッピングモータを駆動して、Ｘ軸方向に延びたレール３１２ａに沿って上下移送部３１３をＸ軸方向に移送する。上下移送部３１３は、ステッピングモータを駆動して、Ｚ軸方向に延びたレール３１３ａに沿って支持部材３１４をＺ軸方向に移送する。支持部材３１４には把持部３１５が設置されている。把持部３１５は、反応容器２１、２２を把持可能に構成されている。
【０１０６】
移送部３１０は、前後移送部３１１と、左右移送部３１２と、上下移送部３１３とを駆動することにより、把持部３１５を第１測定ユニット６１内でＸ、Ｙ、Ｚ軸方向に移送する。これにより、反応容器２１、２２が第１測定ユニット６１内で移送可能となる。
【０１０７】
分注部３２０は、前後移送部３２１と、上下移送部３２２と、支持部材３２３、３２４と、ノズル３２５、３２６と、を備える。前後移送部３２１は、ステッピングモータを駆動して、Ｙ軸方向に延びたレール３２１ａに沿って上下移送部３２２をＹ軸方向に移送する。上下移送部３２２は、ステッピングモータを駆動して、Ｚ軸方向に延びたレール３２２ａに沿って支持部材３２３をＺ軸方向に移送し、Ｚ軸方向に延びたレール３２２ｂに沿って支持部材３２４をＺ軸方向に移送する。
【０１０８】
ノズル３２５、３２６は、Ｙ軸方向に並ぶように、それぞれ、支持部材３２３、３２４に設置されている。ノズル３２５、３２６は、Ｚ軸方向に延び、ノズル３２５、３２６の先端は、Ｚ軸正方向に向けられている。ノズル３２５は、検体の分注に用いられ、ノズル３２６は、試薬の分注に用いられる。
【０１０９】
また、図９に示すように、ノズル３２５、３２６、検体吸引位置２２２、洗浄槽２０５、保持孔２０３ａ、および試薬吸引位置２２３のＸ軸方向における位置は、同じである。すなわち、これらの部材および位置は、Ｚ軸方向に見た場合、Ｙ軸方向に平行な１つの直線上に並んでいる。これにより、ノズル３２５、３２６をＸ軸方向に動かす機構がなくても、ノズル３２５、３２６をＹ軸方向に動かすだけで、ノズル３２５、３２６を、検体吸引位置２２２と、洗浄槽２０５と、保持孔２０３ａと、試薬吸引位置２２３とに位置付けることができる。よって、分注部３２０の構成を簡素化できる。また、１つの洗浄槽２０５によりノズル３２５、３２６を洗浄できるため、洗浄槽２０５をノズル３２５、３２６において共通化できる。
【０１１０】
なお、ノズル３２５、３２６の内部の流路は、図７（ｃ）のノズル１１１と同様に、上下方向に延びている。したがって、洗浄槽２０５の形状も、図７（ｃ）の洗浄槽１０４と同様に構成される。この場合、ノズル３２５、３２６および洗浄槽２０５に洗浄液を流すための機構および流路は、図６（ｂ）と同様に構成される。そして、洗浄時にノズル３２５、３２６の内部に乱流が生じるよう、ノズル３２５、３２６に洗浄液を流すための第１ポンプが駆動される。
【０１１１】
図８に戻り、受渡テーブル２１０の保持孔２１１に反応容器２２が設置されると、移送部３１０は、保持孔２１１から反応容器２２を取り出し、受渡テーブル２２０の保持孔２２１にセットする。受渡テーブル２２０は、３つの保持孔２２１を備える。受渡テーブル２２０は、平面視において円形の輪郭を有し、周方向に回転可能に構成されている。受渡テーブル２２０の保持孔２２１に反応容器２２が設置されると、受渡テーブル２２０が周方向に回転され、反応容器２２が検体吸引位置２２２に位置付けられる。
【０１１２】
反応容器ラック２０４は、３０個の新しい反応容器２１を収容する。部材２０３は、反応容器２１を保持するための保持孔２０３ａを備える。
【０１１３】
移送部３１０は、反応容器ラック２０４から反応容器２１を取り出して、保持孔２０３ａにセットする。そして、分注部３２０は、ノズル３２５を用いて、検体吸引位置２２２に位置付けられた反応容器２２内の第１検体を吸引して、吸引した第１検体を保持孔２０３ａにセットされた反応容器２１に吐出する。これにより、第１検体が、反応容器２２から反応容器２１へと移し替えられる。第１検体の移し替えが行われると、ノズル３２５が洗浄槽２０５において洗浄される。移し替えが終了した反応容器２２は、移送部２８２により廃棄口２８３に廃棄される。
【０１１４】
廃棄口２８３は、移し替えが終了した反応容器２２および第１測定部５１で測定が終了した反応容器２１を廃棄するための孔により構成されている。廃棄口２８３は、廃棄する反応容器２２、２１を回収するための箱に接続されている。廃棄口２８３により、検体ごとに取り替えられた反応容器２２、２１を円滑に廃棄できる。
【０１１５】
試薬テーブル２３０は、免疫検査に関する測定に使用する試薬を収容した試薬容器２３１〜２３３を設置可能に構成されている。試薬テーブル２３０は、周方向に回転可能に構成されている。試薬容器２３１は、Ｒ１試薬を収容し、試薬容器２３２は、Ｒ２試薬を収容し、試薬容器２３３は、Ｒ３試薬を収容している。
【０１１６】
移送部３１０は、第１検体を収容する反応容器２１を保持孔２０３ａから取り出し、洗浄槽２０５の上方に位置付ける。この状態で、分注部３２０は、ノズル３２６を用いて、試薬吸引位置２２３に位置付けられた試薬容器２３１からＲ１試薬を吸引し、吸引したＲ１試薬を洗浄槽２０５の上方に位置付けられた反応容器２１に吐出する。Ｒ１試薬の分注が行われると、ノズル３２６が洗浄槽２０５において洗浄される。
【０１１７】
加温部２４０は、反応容器２１を加温するための保持孔２４１を複数備える。移送部３１０は、Ｒ１試薬が吐出された反応容器２１を加温部２４０の保持孔２４１にセットする。加温部２４０で所定時間だけ反応容器２１が加温されると、移送部３１０は、保持孔２４１から反応容器２１を取り出し、洗浄槽２０５の上方に位置付ける。この状態で、分注部３２０は、ノズル３２６を用いて、試薬吸引位置２２３に位置付けられた試薬容器２３２からＲ２試薬を吸引し、吸引したＲ２試薬を、洗浄槽２０５の上方に位置付けられた反応容器２１に吐出する。Ｒ２試薬の分注が行われると、ノズル３２６が洗浄槽２０５において洗浄される。
【０１１８】
移送部３１０は、Ｒ２試薬が吐出された反応容器２１を加温部２４０の保持孔２４１に設置する。加温部２４０で所定時間だけ反応容器２１が加温されると、移送部３１０は、保持孔２４１から反応容器２１を取り出し、ＢＦ分離部２５０に移送する。
【０１１９】
ここで、Ｒ１試薬は、被検物質と結合する補足物質を含み、Ｒ２試薬は、磁性粒子を含む。反応容器２１に対してＲ１試薬とＲ２試薬が吐出され、加温部２４０で加温が行われると、反応容器２１内の第１検体に含まれる被検物質が、抗原抗体反応により、補足物質を介して磁性粒子と結合する。これにより、被検物質と磁性粒子とが結合した複合体が生成される。
【０１２０】
ＢＦ分離部２５０は、Ｘ軸方向に延びたレール２５１と、レール２５１に沿って移動する支持部材２５２と、支持部材２５２に設置された磁石２５３と、反応容器２１内の液体成分を吸引するためのノズル２５４と、洗浄液を吐出するためのノズル２５５と、反応容器２１を把持するための把持部２５６と、を備える。また、ＢＦ分離部２５０は、レール２５１に沿って支持部材２５２をＸ軸方向に移送するための機構と、ノズル２５４、２５５および把持部２５６をＺ軸方向に移送するための機構と、を備える。
【０１２１】
移送部３１０は、Ｒ２試薬の吐出後の加温が終了した反応容器２１を、支持部材２５２に設けられた保持孔２５２ａにセットする。磁石２５３は、保持孔２５２ａのＸ軸負側に近接して配置されている。このため、保持孔２５２ａにセットされた反応容器２１において、複合体が反応容器２１のＸ軸負側の壁面に引き寄せられる。
【０１２２】
続いて、保持孔２５２ａにセットされた反応容器２１が、ノズル２５４の真下に位置付けられる。ノズル２５４により、反応容器２１内の液体成分が除去される。そして、保持孔２５２ａにセットされた反応容器２１が、ノズル２５５の真下に位置付けられる。ノズル２５５により、反応容器２１内に洗浄液が吐出される。そして、把持部２５６が、保持孔２５２ａから反応容器２１を取り出し、取り出した反応容器２１に振動を与えて攪拌する。攪拌が終わると、把持部２５６は、反応容器２１を保持孔２５２ａに戻す。そして、ノズル２５４により、反応容器２１内の液体成分が除去される。ＢＦ分離部２５０において、このような動作が繰り返し行われる。
【０１２３】
なお、ＢＦ分離部２５０は、ノズル２５４を洗浄するための図示しない洗浄槽を備える。この洗浄槽は、ノズル２５４の真下に配置されており、図７（ａ）の洗浄槽４１と同様に構成される。ノズル２５４およびノズル２５４を洗浄するための洗浄槽に洗浄液を流すための機構および流路は、図６（ｂ）と同様に構成される。そして、洗浄時にノズル２５４の内部に乱流が生じるよう、ノズル２５４に洗浄液を流すための第１ポンプが駆動される。ノズル２５４の洗浄は、液体成分の除去ごとに行われる。
【０１２４】
続いて、移送部３１０は、ＢＦ分離部２５０における処理が終了した反応容器２１を、保持孔２５２ａから取り出し、洗浄槽２０５の上方に位置付ける。この状態で、分注部３２０は、ノズル３２６を用いて、試薬吸引位置２２３に位置付けられた試薬容器２３３からＲ３試薬を吸引し、吸引したＲ３試薬を、洗浄槽２０５の上方に位置付けられた反応容器２１に吐出する。そして、移送部３１０は、Ｒ３試薬が吐出された反応容器２１を加温部２４０の保持孔２４１にセットする。加温部２４０で所定時間だけ反応容器２１が加温されると、移送部３１０は、保持孔２４１から反応容器２１を取り出し、ＢＦ分離部２５０に移送する。そして、ＢＦ分離部２５０において、再度、ＢＦ分離の処理が行われる。
【０１２５】
ここで、Ｒ３試薬は、捕捉物質として抗体が用いられた標識抗体を含む。反応容器２１に対してＲ３試薬が吐出され、加温部２４０で加温が行われると、被検物質と、捕捉抗体と、磁性粒子と、標識抗体とが結合した複合体が生成される。
【０１２６】
続いて、移送部３１０は、ＢＦ分離部２５０における２度目の処理が終了した反応容器２１を、保持孔２５２ａから取り出し、試薬分注部２６０のノズル２６１の真下に位置付ける。試薬分注部２６０は、Ｒ４試薬を吐出するためのノズル２６１と、Ｒ５試薬を吐出するためのノズル２６２と、を備える。また、試薬分注部２６０は、ノズル２６１、２６２をＺ軸方向に移送するための機構を備える。
【０１２７】
試薬分注部２６０は、ノズル２６１により、反応容器２１にＲ４試薬を吐出する。続いて、移送部３１０は、Ｒ４試薬の吐出が終了した反応容器２１を、ノズル２６２の真下に位置付ける。試薬分注部２６０は、ノズル２６２により、反応容器２１にＲ５試薬を吐出する。なお、Ｒ４試薬とＲ５試薬は、それぞれ、試薬収容部２７０に設置された試薬容器２７１、２７２に収容されており、ノズル２６１、２６２は、それぞれ、試薬容器２７１、２７２と図示しない流路により接続されている。
【０１２８】
ここで、Ｒ４試薬は、反応容器２１内の複合体を分散させるための試薬である。複合体とＲ４試薬とが混合されると、反応容器２１内において複合体が分散される。また、Ｒ５試薬は、複合体に結合された標識抗体との反応により光を生じる発光基質を含む試薬である。複合体とＲ５試薬とが混合されると、複合体に結合された標識抗体と発光基質とが反応することにより、化学発光が生じる。こうして、第１測定に用いられる測定試料の調製が完了する。
【０１２９】
移送部３１０は、Ｒ５試薬の吐出が終了した反応容器２１を加温部２４０の保持孔２４１に設置する。加温部２４０で所定時間だけ反応容器２１が加温されると、移送部３１０は、保持孔２４１から反応容器２１を取り出し、部材２８１に設けられた保持孔２８１ａにセットする。
【０１３０】
第１測定部５１は、蓋５１ａと保持孔５１ｂを備える。蓋５１ａは、保持孔５１ｂの上方において開閉可能に構成されている。反応容器２１が保持孔２８１ａにセットされると、蓋５１ａが開けられ、移送部２８２は、保持孔２８１ａから反応容器２１を取り出して、第１測定部５１の保持孔５１ｂにセットする。そして、蓋５１ａが閉じられ、保持孔５１ｂにおいて、反応容器２１内の測定試料から生じた光が測定される。反応容器２１内の測定試料の測定が終了すると、この反応容器２１は、移送部２８２により廃棄口２８３に廃棄される。
【０１３１】
図１０（ａ）に示すように、血液凝固検査に関する測定を行う第２測定部５２は、上述した保持孔５２ａに加えて、光源部４１１と受光部４１２を備える。図１０（ａ）には、１つの保持孔５２ａの周辺が図示されている。
【０１３２】
光源部４１１は、半導体レーザ光源を含み、異なる波長の光を出射する。光源部４１１は、各保持孔５２ａにセットされた反応容器２２に対して光を照射する。反応容器２２中の測定試料に光が照射されると、測定試料を透過した光または測定試料により散乱された光が受光部４１２に入射する。受光部４１２は、保持孔５２ａごとに設けられており、光検出器により構成される。具体的には、受光部４１２は、光電管や光ダイオードなどにより構成される。受光部４１２は、透過光または散乱光を受光して、受光量に応じた電気信号を出力する。制御部６２ａは、受光部４１２から出力された電気信号に基づいて、血液凝固検査に関する分析で用いられる測定データを生成する。
【０１３３】
なお、上述したように、第２測定ユニット６２は、生化学検査に関する測定を行ってもよい。この場合の第２測定部５２は、生化学検査に関する測定を行い、血液凝固検査に関する測定を行う場合と同様の構成を備える。すなわち、この場合の第２測定部５２も、光源部４１１により測定試料に光を照射し、受光部４１２により測定試料から生じた透過光または散乱光を受光する。そして、制御部６２ａは、受光部４１２から出力された電気信号に基づいて、生化学検査に関する分析で用いられる測定データを生成する。
【０１３４】
図１０（ｂ）に示すように、免疫検査に関する測定を行う第１測定部５１は、上述した保持孔５１ｂに加えて、受光部４２１を備える。図１０（ｂ）には、保持孔５１ｂの周辺が図示されている。
【０１３５】
反応容器２１に収容された測定試料から生じた化学発光は、受光部４２１に入射する。受光部４２１は、フォトンカウンティング可能な光検出器により構成される。具体的には、受光部４２１は、光電子増倍管により構成される。受光部４２１がフォトンカウンティング可能な光電子増倍管により構成されると、第１測定部５１により高感度かつ高精度な測定を行うことができる。受光部４２１は、化学発光を受光して、光子すなわちフォトンの受光に応じたパルス波形を出力する。第１測定部５１は、内部に備える回路により、受光部４２１の出力信号に基づいて、一定間隔でフォトンを計数し、カウント値を出力する。制御部６１ａは、第１測定部５１から出力されたカウント値に基づいて、免疫検査に関する分析で用いられる測定データを生成する。
【０１３６】
図１１に示すように、第２測定ユニット６２は、回路部の構成として、図１〜３を参照して説明したように、制御部６２ａと、バーコードリーダ１０２と、分注機構３０、１１０と、洗浄機構４０と、反応容器テーブル１２０と、試薬テーブル１３０と、加温テーブル１４０と、反応容器収納部１５１と、反応容器供給部１５２と、移送部１０５、１０６と、試薬分注部１６１、１６２と、第２測定部５２と、を備える。分注機構３０は、図５に示したセンサ３５と、洗浄部３６と、駆動部３７、３８とを含む。
【０１３７】
また、第２測定ユニット６２は、回路部の構成として、記憶部６２ｂと洗浄機構６２ｃを備える。制御部６２ａは、記憶部６２ｂに記憶されたプログラムに従って、第２測定ユニット６２内の各部および搬送ユニット６３を制御する。記憶部６２ｂは、ＲＯＭ、ＲＡＭおよびハードディスク等により構成される。洗浄機構６２ｃは、洗浄槽１０４と、洗浄槽１０４およびノズル１１１に洗浄液を流すための流路および機構と、を備える。
【０１３８】
図１２に示すように、第１測定ユニット６１は、回路部の構成として、図１、２、８、９を参照して説明したように、制御部６１ａと、移送部２０２、２８２と、受渡テーブル２１０、２２０と、試薬テーブル２３０と、加温部２４０と、ＢＦ分離部２５０と、試薬分注部２６０と、試薬収容部２７０と、第１測定部５１と、移送部３１０と、分注部３２０と、を備える。
【０１３９】
また、第１測定ユニット６１は、回路部の構成として、記憶部６１ｂと、洗浄機構６１ｃ、６１ｄと、を備える。制御部６１ａは、記憶部６１ｂに記憶されたプログラムに従って、第１測定ユニット６１内の各部を制御する。記憶部６１ｂは、ＲＯＭ、ＲＡＭおよびハードディスク等により構成される。洗浄機構６１ｃは、洗浄槽２０５と、洗浄槽２０５およびノズル３２５、３２６に洗浄液を流すための流路および機構と、を備える。洗浄機構６１ｄは、ＢＦ分離部２５０のノズル２５４を洗浄するための洗浄槽と、この洗浄槽とノズル２５４に洗浄液を流すための流路および機構と、を備える。
【０１４０】
図１３を参照して、第２測定ユニット６２内における検体の移送経路について説明する。
【０１４１】
図１３に示すように、検体吸引位置１０３ａにおいて検体容器１０から吸引された検体は、実線矢印で示すように、分注機構３０によって反応容器テーブル１２０の反応容器２２に吐出される。そして、実線矢印で示すように、検体が分注された反応容器２２は、反応容器テーブル１２０によって、加温テーブル１４０の近傍の位置まで移送される。
【０１４２】
反応容器２２が収容する検体が第２検体の場合、加温テーブル１４０の近傍の位置まで移送された反応容器２２は、加温テーブル１４０の移送部１４２により加温テーブル１４０の保持孔１４１に移送される。この反応容器２２は、調整試薬が吐出された後、再び保持孔１４１にセットされる。その後、この反応容器２２は、移送部１０６により、加温テーブル１４０の保持孔１４１から第２測定部５２の保持孔５２ａに移送される。この場合の反応容器２２は、点線矢印に示す移送経路に沿って第２測定部５２に移送される。
【０１４３】
他方、反応容器２２が収容する検体が第１検体の場合、加温テーブル１４０の近傍の位置まで移送された反応容器２２は、加温テーブル１４０の移送部１４２により第１測定ユニット６１の保持孔２０１ａに移送される。この場合の反応容器２２は、破線矢印に示す移送経路に沿って第１測定ユニット６１に移送される。
【０１４４】
このように、分注機構３０によって第２検体が分注された反応容器２２は、実線の矢印および点線の矢印に沿って第２測定部５２に移送される。他方、分注機構３０によって第１検体が分注された反応容器２２は、実線の矢印および破線の矢印に沿って第１測定ユニット６１に移送される。すなわち、検体測定装置１００には、第２検体が分注された反応容器２２を第２測定部５２に移送する第２移送経路と、第１検体が分注された反応容器２２を第１測定ユニット６１に移送する第１移送経路とが設定されている。そして、第１移送経路と第２移送経路は、共通の移送経路として、実線の矢印部分の移送経路を含む。このように、第１移送経路および第２移送経路が少なくとも共通の移送経路を含む場合、第１移送経路および第２移送経路が別々の移送経路である場合に比べて、検体測定装置１００をコンパクトに構成できる。
【０１４５】
なお、実施形態では、第１移送経路と第２移送経路は、共通の移送経路を含んだが、完全に別々の移送経路として設定されてもよい。また、実施形態では、第２移送経路に沿って反応容器２２を移送する第２移送機構は、反応容器テーブル１２０および移送部１４２、１０６であり、第１移送経路に沿って反応容器２２を移送する第１移送機構は、反応容器テーブル１２０および移送部１４２であった。このように、実施形態では、第１移送機構と第２移送機構とが共通の機構を含んだが、これに限らず、第１移送機構と第２移送機構とが完全に別々の機構により構成されてもよい。
【０１４６】
図１４〜図１５（ｂ）に示すフローチャートを参照して、検体測定装置１００が行う処理について説明する。図１４は、分注機構３０に関する処理を示すフローチャートである。図１５（ａ）、（ｂ）は、それぞれ、第２検体および第１検体が分注された場合の検体測定装置１００が行う処理を示すフローチャートである。
【０１４７】
図１４に示すように、検体測定装置１００が起動すると、ステップＳ１において、制御部６２ａは、洗浄機構４０を駆動して、分注機構３０のノズル３１を洗浄する。その後、検体容器１０が検体吸引位置１０３ａに位置付けられる。
【０１４８】
ステップＳ２において、制御部６２ａは、検体吸引位置１０３ａに位置付けられた検体容器１０内の検体について、血液凝固検査に関する測定オーダが設定されているか否かを判定する。具体的には、制御部６２ａは、バーコードリーダ１０２で読み取った検体ＩＤに基づいて、分析ユニット６４に測定オーダの問い合わせを行い、問い合わせた結果に基づいてステップＳ２の判定を行う。
【０１４９】
血液凝固検査に関する測定オーダが設定されていると、ステップＳ３において、制御部６２ａは、分注機構３０を駆動して、検体容器１０内の検体を吸引して、吸引した検体を反応容器テーブル１２０に保持された新しい反応容器２２に吐出する。ステップＳ３で分注された検体は、血液凝固検査の測定に用いられる検体であり、上述したように第２検体である。他方、血液凝固検査に関する測定オーダが設定されていないと、ステップＳ３の処理がスキップされる。
【０１５０】
ステップＳ４において、制御部６２ａは、検体吸引位置１０３ａに位置付けられた検体容器１０内の検体について、免疫検査に関する測定オーダが設定されているか否かを判定する。具体的には、制御部６２ａは、バーコードリーダ１０２で読み取った検体ＩＤに基づいて、分析ユニット６４に測定オーダの問い合わせを行い、問い合わせた結果に基づいてステップＳ４の判定を行う。
【０１５１】
免疫検査に関する測定オーダが設定されていると、ステップＳ５において、制御部６２ａは、分注機構３０を駆動して、検体容器１０内の検体を吸引して、吸引した検体を反応容器テーブル１２０に保持された新しい反応容器２２に吐出する。ステップＳ５で分注された検体は、免疫検査の測定に用いられる検体であり、上述したように第１検体である。他方、免疫検査に関する測定オーダが設定されていないと、ステップＳ５の処理がスキップされる。
【０１５２】
ステップＳ３、Ｓ５で検体を吸引する際には、制御部６２ａは、駆動部３７を駆動して、ノズル３１を下降させて栓体１１に貫通させた後、さらにノズル３１を下降させる。そして、制御部６２ａは、ノズル３１の先端３１ａが検体の液面に接触したことをセンサ３５により検知した後、駆動部３７を記憶部６２ｂに記憶されたパルス数に応じて駆動させることにより、検体の液面から所定量だけノズル３１の先端３１ａを下降させる。これにより、先端３１ａが、液面に対して所定量だけ下に位置付けられる。この状態で、制御部６２ａは、分注機構３０を駆動して検体の吸引を行う。
【０１５３】
こうして、検体吸引位置１０３ａに位置付けられた検体容器１０に対して分注処理が終了すると、処理がステップＳ１に戻される。これにより、ステップＳ１において、制御部６２ａは、洗浄機構４０を駆動して、分注機構３０のノズル３１を洗浄する。その後、検体容器１０が検体吸引位置１０３ａに位置付けられると、制御部６２ａは、ステップＳ２〜Ｓ５の処理を行う。
【０１５４】
図１５（ａ）に示すように、ステップＳ１１において、制御部６２ａは、第２検体が反応容器テーブル１２０の反応容器２２に分注されたか否かを判定する。第２検体が反応容器２２に分注されると、制御部６２ａは、第２測定ユニット６２内の各部を駆動して、第２検体を収容した反応容器２２に対して加温および試薬の分注などの処理を行い、反応容器２２を第２測定部５２の保持孔５２ａにセットする。そして、ステップＳ１２において、制御部６２ａは、第２測定部５２を駆動して、第２検体に対して血液凝固検査に関する測定を行う。ステップＳ１２の第２測定が終了すると、処理がステップＳ１１に戻される。
【０１５５】
図１５（ｂ）に示すように、ステップＳ２１において、制御部６２ａは、第１検体が反応容器テーブル１２０の反応容器２２に分注されたか否かを判定する。第１検体が反応容器２２に分注されると、制御部６２ａは、第２測定ユニット６２内の各部を駆動して、第２検体を収容した反応容器２２を、第１測定ユニット６１の保持孔２０１ａに移送する。第１測定ユニット６１の制御部６１ａは、第１測定ユニット６１内の各部を駆動して、第１検体を反応容器２１に移し替え、第１検体を収容した反応容器２１に対して、加温、試薬の分注、ＢＦ分離などの処理を行い、反応容器２１を第１測定部５１の保持孔５１ｂにセットする。そして、ステップＳ２２において、制御部６１ａは、第１測定部５１を駆動して、第１検体に対して免疫検査に関する測定を行う。ステップＳ２２の第１測定が終了すると、処理がステップＳ２１に戻される。
【０１５６】
＜検体測定装置の他の構成＞
検体測定装置１００は、第１測定部５１により、免疫検査に関する測定を行ったが、これに限らず、第２測定部５２で行われる検査よりも高感度であり、免疫検査とは異なる他の検査に関する測定を行ってもよい。たとえば、検体測定装置１００は、第１測定部５１により遺伝子検査に関する測定を行ってもよい。
【０１５７】
第１測定部５１が遺伝子検査に関する測定を行う場合も、検体を収容する検体容器１０は、通常、栓体１１により閉栓されている。このため、一般的には、遺伝子検査に関する測定においても、たとえば、オペレータが検体容器１０から栓体１１を取り除いて検体容器１０の上部を開放させた状態で、検体容器１０が検体測定装置１００に供される。この場合、オペレータが検体容器１０から栓体１１を取り除くといった煩雑な手間があらかじめ必要になる。
【０１５８】
しかしながら、第１測定部５１が遺伝子検査に関する測定を行う場合も、検体測定装置１００は、第１測定部５１が免疫検査に関する測定を行う場合と同様に、ノズル３１を介して検体容器１０から直接的に検体を分注する。これにより、オペレータは、検体容器１０の栓体１１を取り外すといった手間を省略できる。よって、遺伝子検査に関する測定を円滑に行うことができる。
【０１５９】
また、キャリーオーバーが生じると、遺伝子検査に関する適正な測定結果を得られなくなる。しかしながら、第１測定部５１が遺伝子検査に関する測定を行う場合も、検体測定装置１００は、第１測定部５１が免疫検査に関する測定を行う場合と同様に、検体の分注を行うノズル３１を洗浄機構４０により洗浄する。これにより、遺伝子検査に関する測定においてキャリーオーバーの影響を抑制できる。また、この場合も、検体が分注される反応容器２２は、検体ごとに取り替えられる使い捨ての容器であるため、反応容器２２を介して異なる検体が混じり合うことによるキャリーオーバーを回避できる。よって、遺伝子検査に関する測定を適正に行うことができる。
【０１６０】
なお、以上の実施形態からは、以下の請求項に係る発明も抽出できる。
【０１６１】
＜請求項＞
検体容器（１０）を閉栓している栓体（１１）を貫通可能で、前記栓体（１１）により閉栓された検体容器（１０）に収容された検体の吸引および吐出が可能なノズル（３１）を有し、前記ノズル（３１）により前記検体を前記検体容器（１０）から他の容器（２０、２２）に分注する分注機構（３０）と、
前記分注機構（３０）により分注された前記検体を化学発光測定で測定する第１測定部（５１）と、を備える、化学発光測定装置（１００）。
【０１６２】
化学発光測定においては、上部が開放された検体容器から検体が分注され、測定が行われていた。しかしながら、上部が開放された検体容器が用いられると、検体中の水分が蒸発することにより検体が濃縮することがある。このような検体の濃縮は、高感度な測定系である化学発光測定において、測定結果に影響を及ぼすおそれがある。
【０１６３】
これに対し、上記の化学発光測定装置によれば、検体を収容する検体容器は、栓体により閉栓されており、検体容器を閉栓している栓体を貫通可能なノズルにより、検体が検体容器から他の容器に分注される。これにより、検体中の水分の蒸発が抑制されるため、検体の濃縮が測定結果に影響を及ぼすことを抑制できる。よって、化学発光測定に基づく適正な測定結果を取得できる。また、ノズルが栓体を貫通して検体が分注されるため、オペレータは、閉栓された検体容器から栓体を取り外す必要がなくなる。
【符号の説明】
【０１６４】
１０  検体容器
１１  栓体
２０  他の容器
２２  反応容器
３０  分注機構
３１  ノズル
３１ｂ  流路
４０  洗浄機構
４１  洗浄槽
４１ａ  開口
４１ｂ  注入口
５１  第１測定部
５２  第２測定部
６１  第１測定ユニット
６２  第２測定ユニット
６３  搬送ユニット
１００  検体測定装置
１０１  検体ラック
１０３ａ  検体吸引位置
１０６  移送部
１０７  廃棄口
１２０  反応容器テーブル
１４２  移送部
１８２  第１ポンプ
１９２  第２ポンプ
２８３  廃棄口
４１１  光源部
４１２  受光部
４２１  受光部
【図１】
2019120509.tif 000003
【図２】
2019120509.tif 000004
【図３】
2019120509.tif 000005
【図４】
2019120509.tif 000006
【図５】
2019120509.tif 000007
【図６】
2019120509.tif 000008
【図７】
2019120509.tif 000009
【図８】
2019120509.tif 000010
【図９】
2019120509.tif 000011
【図１０】
2019120509.tif 000012
【図１１】
2019120509.tif 000013
【図１２】
2019120509.tif 000014
【図１３】
2019120509.tif 000015
【図１４】
2019120509.tif 000016
【図１５】
2019120509.tif 000017
【図１６】
2019120509.tif 000018